(57)【要約】【課題】蓋本体の下面に下板を取外し可能に取付けた電気ポットの蓋において、上記下板に設けた位置決め穴に位置決め突起を挿通して下板の位置決めを行うようにした場合に、位置決め突起の先端部に使用者等の指先が接触する不具合を解消することである。【解決手段】蓋本体１の下面に取付けられた下板１２にその下面側から上面側に凹入した複数の凹部２８を設け、その１つの凹部２８にビス１５の挿通穴２９と位置決め穴３１を設けた構成とした。【選択図】　図３
2004008248.tif 000002
【特許請求の範囲】
【請求項１】
蓋本体とその底面にビスにより取付けられた下板とからなり、上記蓋本体に設けた位置決め突起を上記下板に設けた位置決め穴に挿通し、その先端部を該下板下面に突き出してなる電気ポットの蓋において、上記下板にその下面側から上面側に凹入した凹部を設け、その凹部に上記位置決め穴を設けたことを特徴とする電気ポットの蓋。
【請求項２】
上記凹部の凹入深さを、上記位置決め突起先端部の突き出し長さに等しいかそれより大きく形成したことを特徴とする請求項１に記載の電気ポットの蓋。
【請求項３】
上記凹部に上記ビスの挿通穴を設けたことを特徴とする請求項１又は２に記載の電気ポットの蓋。
【発明の詳細な説明】
【０００１】
【発明の属する技術分野】
この発明は、電気ポットの蓋に関し、特に下板の位置決め構造に関する。
【０００２】
【従来の技術】
従来から用いられている電気ポットの蓋は、図８に示すように、蓋本体４１の下面に金属板でなる下板４２を複数本のビス４３により固定している。下板４２の外周縁にパッキン４４が装着され、また、その下板４２の中心部に蒸気孔４５が設けられる。上記の下板４２は、パッキン４４の交換時等の手入れに際してビス４３を外すことにより蓋本体４１から取外される。その下板４２を再取付けする際、取外し前と同じ向きで取付けることが、蓋の機能の同一性を維持する上で望ましい。このため、下板４２の一部に位置決め穴４６を設け、蓋本体４１に設けた位置決め突起４７をこれに挿通し、その先端部を下板４２の下面に突き出すようにしている。なお、図中、４８は蓋ヒンジ部である。
【０００３】
【発明が解決しようとする課題】
しかしながら、上記のように位置決め突起４７の先端部が下板４２の下面に突き出していると、工場における組立て作業や、使用者による手入れ等の取扱い時において、その突起４７の先端部に指先が触れることがあり、違和感があるとともに、安全性の点でも問題があった。
【０００４】
そこで、この発明は、上記位置決め突起が人の指先に触れ難い構造の電気ポットの蓋を提供することを課題とする。
【０００５】
【課題を解決するための手段】
上記の課題を解決するために、この発明は、蓋本体とその底面にビスにより取付けられた下板とからなり、上記蓋本体に設けた位置決め突起を上記下板に設けた位置決め穴に挿通し、その先端部を該下板下面に突き出してなる電気ポットの蓋において、上記下板にその下面側から上面側に凹入した凹部を設け、その凹部に上記位置決め穴を設けた構成を採用した。
【０００６】
上記の構成をとると、下板下面に対する位置決め突起先端部の突き出し量が、凹部の深さ分だけ少なくなるので、人の指先に触れ難くなる。
【０００７】
また、上記凹部の凹入深さを、上記位置決め突起先端部の突き出し長さに等しいかそれより大きく形成した構成をとることもできる。このように構成すると、下板下面に対する位置決め突起の突き出し量がゼロかマイナスになるので、一層指先に触れ難くなる。
【０００８】
なお、上記凹部に上記ビスの挿通穴を設けた構成をとることができる。この構成によると、ビス頭の位置も低くなるので、前記の位置決め突起の先端部のみならず、ビス頭に対しても指先が触れ難くなる。
【０００９】
【発明の実施の形態】
以下、この発明の実施形態を添付図面に基づいて説明する。図１に示した実施形態の電気ポットは、ポット本体１の肩部材２の上部に蓋３をヒンジ４（図２（ａ）参照）により開閉自在に取付けている。肩部材２の前端部に設けたくちばし部５の上面に操作パネル６が設けられ、その下方に湯の吐出口７が設けられる。また、蓋３にはつまみ８が設けられる。
【００１０】
図２に示すように、ポット本体１の内部に真空二重容器９が収納される。また上記の蓋３は、図３に示すように、蓋本体１１とその下面に着脱自在に取付けられた金属製の下板１２とからなる。その蓋本体１１は、上蓋１３（図２（ａ）、図７参照）の下面に中蓋１４を組み合わせることにより構成され、下板１２はその中蓋１４の下面に３本のビス１５により固定される。
【００１１】
上記のビス１５による固定のために、中蓋１４の下面にねじ穴１６を有するボス部１７が、該中蓋１４の中心点周りの３個所に等間隔に設けられる（図３参照）。その３個所のボス部１７のうち、１個所のボス部１７に接近して位置決め突起１８が設けられる。その他、中蓋１４の下面中央部に蒸気弁案内用突起１９、蒸気通過穴２１等が設けられ、さらに該中蓋１４の前面にフック穴２２が設けられる。
【００１２】
図２（ａ）に示すように、中蓋１４の上面前部にフック２３が前後方向にスライド自在に組み込まれ、ばね２４により前方に向け付勢される。このフック２３の一部に前記のつまみ８が係合される。フック２３の先端部は前記のフック穴２２から前方に向けて突き出し、くちばし部５の係合凹部２５に係合される。
【００１３】
図３に示すように、前記の下板１２は円板形をなし、外周縁にパッキン２６が装着され、中央部に複数の小穴でなる蒸気穴２７が設けられる。また、その蒸気穴２７の外側において、前記のボス部１７に合致するように、下板１２の中心点周りの３個所に等間隔をおいて凹部２８が設けられる。各凹部２８は、下板１２の下面からその上面側に凹入するものであり、その底面にビス１５の挿通穴２９が設けられる。また、１個所の凹部２８には、前記の位置決め突起１８に合致する位置決め穴３１がビス挿通穴２９に接近して設けられる。
【００１４】
上記の下板１２は、図２（ａ）に示すように、その中央部が次第に下方へ下がるように勾配が付けられている。前記の凹部２８の底面は水平であるので、凹部２８の深さは、図２（ｂ）に示すように、下板１２の外周側が浅く、中心側が深くなっている。前記の位置決め穴３１は凹部２８の外周側、即ち浅い部分に、また、挿通穴２９は中心側、即ち深い部分に形成される。この位置決め穴３１の部分の深さｈは、ここから下向きに突き出した位置決め突起１８の突き出し量と等しいか、これより深く形成される。また、挿通穴２９の部分の深さは、ここに挿通されるビス１５のビス頭の高さより十分深く形成される。
【００１５】
従って、下板１２を蓋本体１１の下面（即ち、中蓋１４の下面）に嵌合し、前記の位置決め穴３１に位置決め突起１８の先端部を挿通して位置合わせを行い、各挿通穴２９を各ボス部１７のねじ穴１６に合致させて、ビス１５で締め付けると、下板１２はその外周縁のパッキン２６が中蓋１４の周縁部に密着して固定される。
【００１６】
下板１２を上記のように取付けた状態で、位置決め突起１８の先端部もビス１５のビス頭も、ともに凹部２８の内部にあり、下板１２の下面から突き出すことはない（図２（ａ）（ｂ）参照）。
【００１７】
次に、上記の電気ポットのその他の構造について説明する。まず、前記のフック２３は、図４（ａ）から（ｆ）に示すように、平面形状は四角形をなし、前端縁が係合部３２となる。その係合部３２が前記の係合凹部２５に係脱される。また、これと反対側の後端縁に立上り部３３が設けられ、前記のつまみ８に係合される。上記の係合部３２の中間部分は、その断面図（図４（ｅ）参照）から分かるように、鋭角部分３４となっており、それ以外の部分は図４（ｆ）に示すように、丸味部分３５となっている。
【００１８】
一方、係合凹部２５の上縁部３６は、図５（ａ）（ｂ）に示すように、くちばし部５の背面３７に対し、中間部３６ａが最も後方に突き出し、その両側が緩やかに傾斜し、両端部は上記背面３７と同じ高さになっている。この中間部３６ａの断面形状は、図６（ａ）（ｂ）に示すように、鋭角に形成される。
【００１９】
前記のフック２３は、図６（ａ）に示すように、蓋３を閉めた際、その係合部３２が係合凹部２５の上縁部３６に接触しながら押下げられ、図６（ｂ）に示すように、係合直前でフック２３の鋭角部分３４と、上縁部３６の中間部３６ａがほぼ点接触に近い状態となり、その上でフック２３の係合部３２の全体が係合凹部２５内に落ち込み、蓋３が閉鎖される。蓋３を開放する場合の作用は上記と反対になる。
【００２０】
蓋３の閉鎖時、又は開放時のいずれの場合においても、図６（ｂ）のような閉鎖直前（又は開放直後）の状態で、使用者が蓋３から手を離した際に蓋３の動きが停止したとすると、蓋３の開放度合いはわずかであるので、使用者はフック３が係合状態にあると誤認する可能性がある。したがって、このような状態で、蓋３の開閉が停止することがないよう、上記のように、フック２３の鋭角部３４を上縁部３６の中間部３６ａに係合させるようにしている。
【００２１】
フック２３の係合部３２をその全長にわたり鋭角に形成することでも上記の問題は解消されるが、使用者が係合部３２に触れることがあると痛みを感じるので、鋭角部３４は中間部分の狭い範囲に限定し、その両側の大部分は丸味部分３５となっており痛みを感じさせない。
【００２２】
図７は、前記蓋３の上蓋１３に取付けられたつまみ８を示している。このつまみ８の上面に装飾等の目的で、ポリエステルフィルム等でなる印刷フィルム４０が接着される。この印刷フィルム４０の接着部３８は、該つまみ８の表面より低い面に形成される。言い換えれば、接着部３８の外周はリブ３９で囲まれる。
【００２３】
上記の接着部３８に印刷フィルム４０が接着される。接着された印刷フィルム４０はその周囲のリブ３９で保護されるため、はがれ難くなり、長期にわたり装飾効果を発揮する。
【００２４】
【発明の効果】
以上のように、この発明は、蓋の下板に凹部を設け、その凹部の底に位置決め穴を設けることにより、その位置決め穴から突き出した位置決め突起の先端部が、作業者や使用者の指先に触れ難くなり、安全性が増す効果がある。また、上記の凹部にビス穴も併せて設けることにより、ビス頭にも触れ難くなり、一層安全性が向上する。
【図面の簡単な説明】
【図１】実施形態の斜視図
【図２】（ａ）同上の一部断面図
（ｂ）（ａ）図の一部拡大断面図
【図３】同上の蓋の分解斜視図
【図４】（ａ）同上フックの斜視図
（ｂ）同上正面図
（ｃ）同上斜視図
（ｄ）同上底面図
（ｅ）（ｂ）図のｅ−ｅ線の拡大断面図
（ｆ）（ｂ）図のｆ−ｆ線の拡大断面図
【図５】（ａ）同上のくちばし部の一部斜視図
（ｂ）（ａ）図平面図
【図６】（ａ）同上のフック部分の断面図
（ｂ）同上のフック部分の断面図
【図７】上蓋の分解斜視図
【図８】従来例の蓋の斜視図
【符号の説明】
１　ポット本体
２　肩部材
３　蓋
４　ヒンジ
５　くちばし部
６　操作パネル
７　吐出口
８　つまみ
９　真空二重容器
１１　蓋本体
１２　下板
１３　上蓋
１４　中蓋
１５　ビス
１６　ねじ穴
１７　ボス部
１８　位置決め突起
１９　蒸気弁案内用突起
２１　蒸気通過穴
２２　フック穴
２３　フック
２４　ばね
２５　係合凹部
２６　パッキン
２７　蒸気穴
２８　凹部
２９　挿通穴
３１　位置決め穴
３２　係合部
３３　立上り部
３４　鋭角部分
３５　丸味部分
３６　上縁部
３６ａ　中間部
３７　背面
３８　接着部
３９　リブ
４０　印刷フィルム
【図１】
2004008248.tif 000003
【図２】
2004008248.tif 000004
【図３】
2004008248.tif 000005
【図４】
2004008248.tif 000006
【図５】
2004008248.tif 000007
【図６】
2004008248.tif 000008
【図７】
2004008248.tif 000009
【図８】
2004008248.tif 000010